(57)【要約】【課題】展示商品が窃盗により店外に持ち出されることを防止する盗難防止装置を提供する。【解決手段】防犯タグ(10)を備えるケーシング(3)と、該ケーシングに固着された基端部(4a)から自由端側の先端部(4b)に延びる長尺体(4)と、長尺体(4)を折曲することによりループ(5)を形成した状態でケーシング(3)に挿脱自在に挿通させる挿通路(6)と、前記挿通路に挿通された長尺体の挿通部(4X)を抜止め係止する係止手段(7)を備えている。前記ケーシング(3)の内部に進退移動自在に設けたロック体(32)をロック位置(P2)に移動したとき、前記係止手段(7)により挿通部(4X)を抜止め状に係止し、前記ロック体(32)をアンロック位置(P3)に移動したとき、挿通路(6)から挿通部(4X)を抜き取り可能とする。ロック体(32)をロック位置(P2)で移動不能に施錠する施錠手段(41)が設けられ、該施錠手段(41)は、専用の解錠キー(2)により解錠可能である。【選択図】図１
2011094366.tif 000002
【特許請求の範囲】
【請求項１】
防犯タグ(10)を備えるケーシング(3)と、前記ケーシングに固着された基端部(4a)から自由端側の先端部(4b)に至り延びる長尺体(4)と、ループ(5)を形成するように折曲された長尺体(4)の自由端側をケーシング(3)に挿脱自在に挿通させる挿通路(6)と、前記挿通路に挿通された長尺体の挿通部(4X)を抜止め状に係止する係止手段(7)を備えており、前記長尺体(4)のループ(5)を商品に取付けるように構成した盗難防止装置であり、
前記長尺体(4)は、ループ(5)を形成するように折曲したとき、腹面(13)が内側に向き背面(14)が外側に向くように折曲されると共に、直線姿勢を保持する方向に復元力(X)を作用する可撓性の帯状体により構成され、前記腹面(13)にラック歯(15)を列設しており、
前記係止手段(7)は、挿通路(6)の内部で前記挿通部(4X)に形成されたラック歯(15)に対抗する係止爪(27)を備え、
前記ケーシング(3)は、前記挿通路(6)に向けて進退移動自在とされたロック体(32)を内装し、該ロック体(32)は、ロック位置(P2)に前進させられたとき、前記挿通部(4X)のラック歯(15)と係止爪(27)を相互に係止させ、アンロック位置(P3)に後退させられたとき、前記挿通部(4X)のラック歯(15)と係止爪(27)を相互に離反させるように構成され、
前記ケーシング(3)とロック体(32)の間に施錠手段(41)を設け、該施錠手段(41)は、前記ロック体(32)をロック位置(P2)に前進した状態で該ロック体(32)を後退不能に施錠すると共に、前記ロック体(32)の解錠路(38)に解錠キー(2)を挿入したとき該ロック体(32)をアンロック位置(P3)に後退可能に解錠するように構成されて成ることを特徴とする盗難防止装置。
【請求項２】
前記ロック体(32)は、ロック位置(P2)に前進させられた状態で、ロック部(35)を前記長尺体(4)の挿通部(4X)の背面(14)に当接することにより、該挿通部(4X)のラック歯(15)を係止爪(27)に係止させ、アンロック位置(P3)に後退させられた状態で、前記長尺体(4)の復元力(X)により挿通部(4X)のラック歯(15)を係止爪(27)から退避させるように構成されて成ることを特徴とする請求項１に記載の盗難防止装置。
【請求項３】
前記挿通路(6)は、挿入口(6a)に対して挿出口(6b)が挿通部(4X)の腹面(13)の側に寄って偏位するように形成され、前記挿入口(6a)の近傍に位置して長尺体(4)の背面(14)を前記挿入口(6a)に向けて案内するガイド手段(29)をケーシング(3)の外側に設けて成ることを特徴とする請求項２に記載の盗難防止装置。
【請求項４】
前記ラック歯(15)は、挿通路(6)に挿入したとき、係止爪(27)に対して、挿入方向(Z1)に係止しないが、抜き取り方向(Z2)に係止するラチェット歯を構成して成ることを特徴とする請求項１、２又は３に記載の盗難防止装置。
【請求項５】
前記施錠手段(41)は、ケーシング(3)に固設された施錠爪(42)と、ロック体(32)に設けられて施錠方向(M1)と解錠方向(M2)に揺動自在とされた施錠アーム(43)により構成され、
前記施錠アーム(43)は、前記施錠爪(42)に係止される係止孔(45)を設け、前記施錠方向(M1)に弾発付勢されると共に、解錠方向(M2)から磁着可能な磁性片(46)を設け、
前記施錠爪(42)は、ロック体(32)をアンロック位置(P3)からロック位置(P2)に向けて前進させたとき、施錠アーム(43)の先端(47)を前記解錠方向(M2)に押し上げるガイド面(48)と、前記施錠アーム(43)の先端(47)がガイド面(48)を乗り越えたとき前記係止孔(45)に係止する爪部(49)を設けており、
前記解錠キー(2)は、ロック体(32)の解錠路(38)に挿入したとき前記磁性片(46)を磁着することにより施錠アーム(43)を解錠方向(M2)に揺動させる永久磁石を備えて成ることを特徴とする請求項１、２、３又は４に記載の盗難防止装置。
【請求項６】
前記施錠爪の爪部(49)は、ロック体(32)の前進方向(F)に突出する掛け止め部(50)を形成しており、該ロック体(32)がロック位置(P2)に臨んだ状態で、施錠アーム(32)を解錠方向(M2)に揺動不能とするように該掛け止め部(50)を該施錠アーム(32)に係止し、
前記解錠キー(2)によりロック体(32)をロック位置(P2)から更に前進した解錠可能位置(P1)まで移動させたとき、施錠アーム(32)を掛け止め部(50)から解放するように構成して成ることを特徴とする請求項５に記載の盗難防止装置。
【発明の詳細な説明】
【技術分野】
【０００１】
本発明は、店内に展示された商品が万引き等の不正者により窃盗され、店外に持ち出されることを未然に防止するための盗難防止装置に関する。
【背景技術】
【０００２】
従来、種々の小売店等においては、展示商品の盗難を防止するため、各商品に防犯タグを貼着している。そこで、防犯タグを貼着したまま商品を店外に持ち出そうとすると、出入口ゲートに設置された検知装置が警報を発し、盗難を防止する。
【０００３】
しかしながら、通常、防犯タグは、粘着剤により商品に貼着されており剥離可能であるから、店外に持ち出す前に商品から剥離して廃棄されてしまうと、盗難防止の効果がない。
【０００４】
このため、防犯タグをケーシングの内部に設け、ケーシングに設けたワイヤーを折曲することによりループを形成し、該ループを商品に取付けるようにしたワイヤー式の盗難防止装置が提供されている。
【０００５】
このようなワイヤー式の盗難防止装置は、例えば、商品が提手を有するバッグの場合、ループ状に折曲されたワイヤーを提手に通すことにより商品に取付けられる。ワイヤーは、基端部をケーシングに固着されており、該ワイヤーを商品の被取付個所に挿通した後、ワイヤーを折曲することにより先端部をケーシングに戻してループ状に形成し、該ワイヤーの先端部をケーシングに挿入する。ワイヤーの先端部は、ケーシングに挿入した状態で取り外し不能にロックされ、専用の解錠キーを使用しなければワイヤーの先端部を抜き取ることができない。
【０００６】
正当な顧客が商品を購入するときは、レジカウンター等において、店員が専用の解錠キーを使用することによりワイヤーの先端部をケーシングから抜き取り、盗難防止装置を取り外した後、商品を顧客に引き渡される。
【先行技術文献】
【特許文献】
【０００７】
【特許文献１】特許開２００２−７４５２９号公報
【特許文献２】特許開２００２−３０４６７６号公報
【発明の概要】
【発明が解決しようとする課題】
【０００８】
従来のワイヤー式の盗難防止装置は、基端部がケーシングに固着されたワイヤーの先端部をケーシングに挿入しロックする構成であるから、ワイヤーを折曲することにより形成されるループの大きさが常に同じ形状及び寸法とされる。従って、商品の大きさに応じて、長短異なる長さのワイヤーを使用しなければ見栄えが悪いものとなる。例えば、大型のバッグに取付けるための盗難防止装置は、長いワイヤーが使用されているため、これを小型のバッグに取付けると、ワイヤーを折曲することにより形成されたループが大き過ぎ、展示された商品の美観を損ねてしまう。反対に、短いワイヤーを備えた盗難防止装置は、大型の商品に取付けることができない。このため、長短異なる長さのワイヤーを備えた他種類の盗難防止装置を店内に備える必要があるという不便がある。
【課題を解決するための手段】
【０００９】
本発明は、上記課題を解決するため、折曲によりループを形成する長尺体の自由端側をケーシングに挿通させ、挿通方向に自由に引き込むことにより、ループの大きさを大小自在に形成できるように構成した盗難防止装置を提供する。
【００１０】
これにより、１つの盗難防止装置を大型の商品と小型の商品に共用することができ、しかも、商品に取付けられた盗難防止装置の長尺体によるループを最適な大きさとすることができるので、展示商品の見栄えを損なうことがない。
【００１１】
しかも、長尺体は、ケーシングの挿通方向に引き込むことにより、ループを縮径するので、バッグの提手のような開口部に通すような取付方法に限定されず、商品の外周に締着させることによっても取付可能であるから、取付可能な商品の範囲が拡大する利点がある。更に、商品の外周に締着する取付方法によれば、複数の商品がパッケージとして販売される場合、複数商品を結束する結束バンドとしても兼用できる利点がある。
【００１２】
そこで、本発明が手段として構成したところは、防犯タグを備えるケーシングと、前記ケーシングに固着された基端部から自由端側の先端部に至り延びる長尺体と、ループを形成するように折曲された長尺体の自由端側をケーシングに挿脱自在に挿通させる挿通路と、前記挿通路に挿通された長尺体の挿通部を抜止め状に係止する係止手段を備えており、前記長尺体のループを商品に取付けるように構成した盗難防止装置であり、前記長尺体は、前記ループを形成するように折曲したとき、腹面が内側に向き背面が外側に向くように折曲されると共に、直線姿勢を保持する方向に復元力を作用する可撓性の帯状体により構成され、前記腹面にラック歯を列設しており、前記係止手段は、挿通路の内部で前記挿通部に形成されたラック歯に対抗する係止爪を備え、前記ケーシングは、前記挿通路に向けて進退移動自在とされたロック体を内装し、該ロック体は、ロック位置に前進させられたとき、前記挿通部のラック歯と係止爪を相互に係止させ、アンロック位置に後退させられたとき、前記挿通部のラック歯と係止爪を相互に離反させるように構成され、前記ケーシングとロック体の間に施錠手段を設け、該施錠手段は、前記ロック体をロック位置に前進した状態で該ロック体を後退不能に施錠すると共に、前記ロック体の解錠路に解錠キーを挿入したとき該ロック体をアンロック位置に後退可能に解錠するように構成されて成る点にある。
【００１３】
本発明の実施形態において、前記ロック体は、ロック位置に前進させられた状態で、ロック部を前記長尺体の挿通部の背面に当接することにより、該挿通部のラック歯を係止爪に係止させ、アンロック位置に後退させられた状態で、前記長尺体の復元力により挿通部のラック歯を係止爪から退避させるように構成されている。
【００１４】
前記挿通路は、挿入口に対して挿出口が挿通部の腹面の側に寄って偏位するように形成され、前記挿入口の近傍に位置して長尺体の背面を前記挿入口に向けて案内するガイド手段をケーシングの外側に設けることが好ましい。
【００１５】
前記ラック歯は、挿通路に挿入したとき、係止爪に対して、挿入方向に係止しないが、抜き取り方向に係止するラチェット歯を構成する。
【００１６】
前記施錠手段は、ケーシングに固設された施錠爪と、ロック体に設けられて施錠方向と解錠方向に揺動自在とされた施錠アームにより構成され、前記施錠アームは、前記施錠爪に係止される係止孔を設け、前記施錠方向に弾発付勢されると共に、解錠方向から磁着可能な磁性片を設け、前記施錠爪は、ロック体をアンロック位置からロック位置に向けて前進させたとき、施錠アームの先端を前記解錠方向に押し上げるガイド面と、前記施錠アームの先端がガイド面を乗り越えたとき前記係止孔に係止する爪部を設けており、前記解錠キーは、ロック体の解錠路に挿入したとき前記磁性片を磁着することにより施錠アームを解錠方向に揺動させる永久磁石を備えている。
【００１７】
前記施錠爪の爪部は、ロック体の前進方向に突出する掛け止め部を形成しており、該ロック体がロック位置に臨んだ状態で、施錠アームを解錠方向に揺動不能とするように該掛け止め部を該施錠アームに係止し、前記解錠キーによりロック体をロック位置から更に前進した解錠可能位置まで移動させたとき、施錠アームを掛け止め部から解放するように構成されている。
【発明の効果】
【００１８】
請求項１に記載の本発明によれば、折曲によりループ５を形成する長尺体４の自由端側４ｃをケーシング３の挿通路６に挿通させ、挿入方向Ｚ１に自由に引き込むことにより、ループ５の大きさを大小自在に形成できるように構成した盗難防止装置１を提供することができる。従って、１つの盗難防止装置１を大型の商品と小型の商品に共用することができ、しかも、商品に取付けられた盗難防止装置の長尺体４によるループ５を最適な大きさとすることができるので、展示商品の見栄えを損なうことがない。また、ループ５を自由に縮径できるので、バッグの提手のような開口部に通すような取付方法に限定されず、商品の外周に締着させることによっても取付可能であり、取付可能な商品の範囲が拡大する利点があり、更に、複数商品を結束する結束バンドとしても兼用できる利点がある。
【００１９】
そして、挿通路６に向けて進退移動自在とされたロック体３２をケーシング３に内装し、該ロック体３２をロック位置Ｐ２に前進させた状態で、長尺体４の挿通部４Ｘのラック歯１５と係止爪２７を相互に係止させ、ロック体３２をアンロック位置Ｐ３に後退させた状態で、前記ラック歯１５と係止爪２７を相互に離反させる構成であるから、ラック歯１５と係止爪２７の噛合状態と解放状態をロック体３２の移動だけで可能とすることができる。
【００２０】
しかも、ケーシング３とロック体３２の間に設けた施錠手段４１によりロック体３２をロック位置Ｐ２で後退不能となるように施錠し、専用の解錠キー２を使用することによってのみ施錠手段４１を解錠できるように構成しているので、万引き等の不正者が盗難防止装置１を商品から取り外すことを確実に防止する。
【００２１】
請求項２に記載の本発明によれば、長尺体４の復元力を有する可撓性を利用し、ロック位置Ｐ２に前進させられたロック体３２により長尺体４の挿通部４Ｘの背面１４を押圧することによりラック歯１５を係止爪２７に係止させ、ロック体３２をアンロック位置Ｐ３に後退したときは、前記長尺体４の復元力Ｘによりラック歯１５を係止爪２７から退避させるように構成しているので、構造が複雑化することなく、簡単な構造により、故障のない盗難防止装置１を安価に提供できる。
【００２２】
請求項３に記載の本発明によれば、挿通路６は、挿入口６ａに対して挿出口６ｂが挿通部６Ｘの腹面の側に寄って偏位するように形成され、前記挿入口６ａの近傍に位置して長尺体４の背面１４を前記挿入口６ａに向けて案内するガイド手段２９をケーシング３の外側に設けているので、復元力Ｘにより背面１４をガイド手段２９に接する長尺体４の先端部４ｂが挿出口６ｂに向けて傾斜するラインＹに沿って挿入方向Ｚ１に向けられ、これにより先端部４ｂを挿入口６ａに導かれるので、比較的小さな挿入口６ａに向けて細い長尺体４の先端部４ｂを挿入する作業が容易となる。
【００２３】
請求項４に記載の本発明によれば、前記ラック歯１５は、挿通路６に挿入したとき、係止爪２７に対して、挿入方向Ｚ１に係止しないが、抜き取り方向Ｚ２に係止するラチェット歯を構成しているので、ロック体３２をロック位置Ｐ２で施錠手段４１により施錠させた状態で、長尺体４を挿通路６の内部において挿入方向Ｚ１に移動させることが可能であり、ループ５を所望の大きさとなるように縮径させる作業を容易とする。
【００２４】
請求項５に記載の本発明によれば、前記施錠手段４１は、ケーシング３に固設された施錠爪４２と、ロック体３２に設けられて施錠方向Ｍ１と解錠方向Ｍ２に揺動自在とされた施錠アーム４３により構成され、ロック体３２をロック位置Ｐ２に前進させたとき、前記施錠方向Ｍ１に弾発付勢された施錠アーム４３の先端が施錠爪４２のガイド面４８を乗り越えた後、係止孔４５を施錠爪４２に係止させる構成であるから、ロック体３２をアンロック位置Ｐ３からロック位置Ｐ２に前進させるだけで、ワンタッチで施錠手段４１による施錠が可能になるという利点がある。そして、解錠キー２の永久磁石を備えたロッド部５２を解錠路３８に挿入すると、施錠アーム４３に設けた磁性片４６を前記永久磁石に磁着させることにより前記施錠手段４１の施錠を解錠させる構成であるから、解錠キー２を後退方向Ｒに移動させたとき、ロック体３２を追従してアンロック位置Ｐ３まで移動させることができ、施錠手段４１の解錠と、ロック体３２の後退方向Ｒへの移動をワンタッチで行うことができる利点がある。
【００２５】
請求項６に記載の本発明によれば、前記施錠爪４２の爪部４９は、ロック体３２の前進方向Ｆに突出する掛け止め部５０を形成しており、該ロック体３２をロック位置Ｐ２に臨ませた状態で、前記掛け止め部５０により施錠アーム４３を解錠方向Ｍ２に揺動不能とするように係止する構成であるから、不正者が解錠路３８に永久磁石を挿入しても、施錠アーム４３が解錠方向Ｍ２に揺動することはなく、同様に、解錠路３８に針金等を挿入することにより施錠アーム４３を引き上げようとしても、施錠アーム４３が解錠方向Ｍ２に揺動することはない。これにより、盗難防止効果が優れたものとなる。そして、解錠キー２を使用することにより施錠手段１を解錠するときは、解錠キー２を強く押し込むことによりロック体２３を解錠可能位置Ｐ１まで移動させれば、前記掛け止め部５０の係止が解かれるので、解錠キー２の使用者に煩雑な作業を強いることはなく、容易に施錠手段４１の解錠とロック体３２の後退方向Ｒへの移動を可能とする。
【図面の簡単な説明】
【００２６】
【図１】本発明に係る盗難防止装置と解錠キーの１実施形態を示す斜視図である。
【図２】前記盗難防止装置を分解した状態を示す斜視図である。
【図３】分解状態の盗難防止装置を部分的に断面にて示す斜視図である。
【図４】分解状態の盗難防止装置の縦断面図である。
【図５】長尺体の先端部を挿通路に挿入するときの状態を示す縦断面図である。
【図６】長尺体の挿通部のラック歯が係止爪に対して抜止め状に係止した状態を示す縦断面図である。
【図７】ロック体と施錠手段の作用を示しており、（Ａ）は施錠手段を解錠するため解錠キーを解錠路に挿入した状態を示す縦断面図、（Ｂ）は解錠キーによりロック体を解錠可能位置まで移動させた状態を示す縦断面図である。
【図８】施錠手段を解錠した状態で解錠キーと共にロック体をアンロック位置まで後退させた状態を示す縦断面図である。
【発明を実施するための形態】
【００２７】
以下図面に基づいて本発明の好ましい実施形態を詳述する。
【００２８】
図１は、盗難防止装置１と、解錠キー２を示している。盗難防止装置１は、図１ないし４に示すように、それぞれプラスチックにより形成されたケーシング３と、前記ケーシング３に固着された基端部４ａから自由端側の先端部４ｂに至り延びる長尺体４と、ループ５を形成するように折曲された長尺体４の自由端側４ｃ（基端部４ａを除く長尺部分）をケーシング３に挿脱自在に挿通させる挿通路６と、前記挿通路５に挿通された長尺体４の挿通部４Ｘ（図６参照）を抜止め状に係止する係止手段７を備えている。
【００２９】
図示実施形態において、ケーシング３の側縁部にはヒンジ手段８を介して偏平なハウジング９が設けられ、該ハウジング９に防犯タグ１０を内装すると共に、該防犯タグ１０を剥離不能とするように蓋１１を嵌着している。この場合、ハウジング９又は蓋１１を透明に形成しておけば、防犯タグ１０と共にバーコード等の商品情報を収納することが可能である。従って、図示実施形態の場合、防犯タグ１０は、ハウジング９を介して間接的にケーシング３に設けられるが、ハウジング９を用いることなく、ケーシング３の内部に貼着するように構成しても良い。
【００３０】
図例の構成において、ケーシング３と別体に形成された分割体１２に長尺体４が一体成形されており、該分割体１２をケーシング３に嵌着することにより、長尺体４とケーシング３が一体結合される。
【００３１】
前記長尺体４は、前記ループ５を形成するように折曲したとき、腹面１３が内側に向き、背面１４が外側に向くように折曲され、該折曲状態から直線姿勢を保持する方向に復元力を作用する可撓性の細幅とされた帯状体により構成され、前記腹面１３にラック歯１５を列設している。尚、図例の場合、ラック歯１５の両側に位置して長尺体４の全長に延びるリブ壁１６、１６が形成されている。
【００３２】
前記ケーシング３は、底壁１７と両側壁１８、１８と頂壁１９を有する断面矩形とされた角筒状に形成され、一方の開口端２０から前記分割体１２を嵌入させるように構成され、該嵌入空間に位置して頂壁１９に切欠開口２１を形成し、該切欠開口２１に対向して頂壁１９の下面に突部２３を設けている。前記切欠開口２１の両側縁には、下向きリブ２３、２３が形成され、該下向きリブ２３、２３はケーシング３の他方の開口端２４の近傍まで延びている。
【００３３】
これに対して、分割体１２は、前記ケーシング３の切欠開口２１に嵌入されるブロック体を構成し、前記下向きリブ２３、２３に嵌合する溝２４、２４を設けると共に、前記突部２２に対向する凹部２５を形成している。これにより、分割体１２をケーシング３に嵌入した状態で、前記凹部２５により前記挿通路６が形成され、前記長尺体４は、基端部４ａの腹面１３を挿通路６に臨ませた状態で分割体１２の上面から上方に向けて長く延びる。尚、分割体１２は、無理嵌め又は接着剤その他により、ケーシング３から分離不能となるように固着される。
【００３４】
図１に示すように、分割体１２の端面及び／又はケーシング３の側壁１８には、任意に吊下手段２６ａ、２６ｂを設けることが自由であり、商品の値札や品質表示等のタグが吊下可能である。
【００３５】
前記挿通路６を形成する凹部２５の底部には、前記係止手段７を構成する係止爪２７が設けられており、前記ループ５を形成するように長尺体４を折曲することにより自由端側４ｃを挿通路６に挿入したとき、ラック歯１５が前記係止爪２７に対向させられるように構成している。好ましくは、前記ラック歯１５は、挿通路６に挿入したとき、係止爪２７に対して、挿入方向には係止しないが（つまり挿入を許す）、抜き取り方向に係止するラチェット歯を構成している。
【００３６】
図３に示すように、前記挿通路６は、突部２２が対向する位置に挿入口６ａを形成し、該挿入口６ａの下方に位置してケーシング３の底壁１７に開設された孔により挿出口６ｂを形成する。この際、図４に示すように、該挿通路６に挿通される長尺体４に関して、挿入口６ａの中心位置Ｃ１よりも挿出口６ｂの中心位置Ｃ２が長尺体４の腹面１３の側に寄って偏位するように形成されており、前記腹面１３に対向する挿出口６ｂの開口縁に臨む突起２８がケーシング３の底壁１７の底面に設けられている。従って、長尺体４の背面１４に臨む挿入口６ａの開口縁と前記突起２８を結んで傾斜するラインＹが形成されるように構成されており、そのラインＹを接線とする円弧縁から成るガイド手段２９を備えた縦壁３０がケーシング３の頂壁１９に立設されている。
【００３７】
図３に示すように、角筒状のケーシング３は、他方の開口端２４から前記挿通路６に至る摺動路３１を構成し、該摺動路３１に前記挿通路６に向けて進退移動自在とされたロック体３２を内装している。前記ロック体３２は、ケーシング３の側壁１８と下向きリブ２３の間に形成された摺動溝に摺動自在に嵌合する側壁３３、３３を備え、前進方向の端部に側壁３３、３３に架設された梁部３４を介して挿通路６に臨むロック部３５を設けており、後退方向の端部に位置して側壁３３、３３に架設されると共にケーシング３の底壁１７の内面を摺動する横板部３６を設け、該横板部３６の上方に鍵孔部３７を形成し、該鍵孔部３７の内部空間により解錠路３８を形成している。尚、図例の場合、ロック体３２の側壁３３、３３とケーシング３の頂壁１９により区成された空間により解錠路３８が形成されているが、ロック体３２を筒状に形成することにより、該ロック体３２の内部に解錠路３８を形成しても良い。
【００３８】
図２に示すように、ケーシング３の側壁１８とロック体３２の側壁３３の相互には、ロック体３２の進退移動範囲を規制する長孔３９と突起４０が設けられ、これにより、後述するロック位置Ｐ２を含む解錠可能位置Ｐ１とアンロック位置Ｐ３の間でロック体３２が進退移動することを可能にする。
【００３９】
図３に示すように、ケーシング３とロック体３２の間には施錠手段４１が設けられ、該施錠手段４１は、ロック体３２を前記ロック位置Ｐ２に前進したとき該ロック体３２を後退不能に施錠し、前記解錠路３８に解錠キー２を挿入したとき該ロック体３２をアンロック位置Ｐ３に後退可能となるように解錠する。
【００４０】
図示実施形態において、前記施錠手段４１は、ケーシング３の底壁１７の上面に固設された施錠爪４２と、ロック体３２に設けられた施錠アーム４３により構成されている。図４に示すように、施錠アーム４３は、前記横板部３６に連結された弾性アーム部４４を介して、ケーシング３の底壁１７に向かう施錠方向Ｍ１と、反対方向の解錠方向Ｍ２に揺動自在とされ、該弾性アーム部４４により常時は施錠方向Ｍ１に向けて弾発付勢されており、先端近傍部に係止孔４５を形成し、該係止孔４５と弾性アーム部４４の間に位置して前記解錠方向Ｍ２から磁着可能とされる鉄片等の磁性片４６を設けている。
【００４１】
これに対して、施錠爪４２は、ロック体３２をロック位置Ｐ２に向けて前進させたとき、前記施錠アーム４３の先端４７を前記解錠方向Ｍ２に向けて押し上げるガイド面４８と、前記先端４７が該ガイド面４８を乗り越えたとき前記係止孔４５に係止する爪部４９と、該爪部４９からロック体３２の前進方向に突出する掛け止め部５０を形成している。図例の場合、掛け止め部５０は、鉤状に形成されているが、爪部４９と底壁１７の間に位置する傾斜面（いわゆるアンダーカット面）により形成しても良い。
【００４２】
上記構成とされたロック体３２をケーシング３の摺動路３１に挿入した状態で、盗難防止装置１が提供される。これに対して、解錠キー２は、図１に示すように、ホルダ５１から永久磁石を備えたロッド部５２を設けており、前記ロッド部５２は、ロック体３２の鍵孔部３７から解錠路３８に挿入されるように構成されている。この際、解錠キー２のロッド部５２の断面形状と鍵孔部３７の形状は、単純な円形や矩形ではなく、異形とするのが好ましく、図例の場合は三角形としたものを示しているが、五角形や星形のような複雑な形状とすることができる。後述するように、ロッド部５２を解錠路３８に挿入したとき、該ロッド部５２の先端を当接させる受部５３がロック部３５の背面に形成されている。
【００４３】
盗難防止装置１を商品に取付けるに際しては、図１に示すように、腹面１３が内側を向くようにして長尺体４を折曲することによりループ５を形成し、該ループ５を商品の開口部（例えばバッグの提手）に挿通させ、又は、該ループ５を商品の外周面（例えばボトルのくびれ状の首部）に巻付け、その状態から図５に示すように長尺体４の先端部４ｂを挿通路６に挿入する。ループ５を折曲形成された長尺体４は、直線姿勢に戻る方向に復元力Ｘを有しているので、先端部４ｂの背面１４をガイド手段２９に弾接しながら挿入口６ａに導かれる。上述のように、ガイド手段２９の円弧に接する接線が長尺体４の背面１４に臨む挿入口６ａの開口縁から挿出口６ｂの突起２８に向けて傾斜するラインＹ（図４参照）を形成しており、長尺体４の先端部４ｂが該ラインＹに沿って挿通路６に進入させられる。つまり、復元力Ｘを伴う長尺体４の先端部４ｂの背面１４をガイド手段２９に弾接させた状態で、前記ラインＹに沿わせながら挿入方向Ｚ１に挿入させると、先端部４ｂが挿入口６ａに導かれるので、比較的小さな挿入口６ａに向けて細い長尺体４の先端部４ｂを挿入する作業が容易となる。
【００４４】
長尺体４の先端部４ｂを挿通路６に挿入するとき、ロック体３２をアンロック位置Ｐ３に移動させておいても良いが、図５に示すように、ロック位置Ｐ２に移動させている場合でも、先端部４ｂを挿入路６に好適に挿入させることができる。この場合、ロック部３５が係止爪２７に近接することにより挿通路６に狭隘部分が形成されているが、長尺体４は可撓性を有するので、屈曲しながら挿出口６ｂに導かれる。
【００４５】
この状態で、長尺体４を更に挿入方向Ｚ１に移動させると、図６に示すように、ラック歯１５が係止爪２７を乗り越えながら移動し、ループ５を縮径する。例えば、先端部４ｂが挿出口６ｂから挿出した後、該挿出端を把持して引っ張ることにより、簡単にループ５を縮径させることができる。この作業中、ロック体３２をアンロック位置Ｐ３に移動させておいても良いが、図６に示すように、ロック位置Ｐ２に移動させている場合でも、挿入路６を挿通する長尺体４の挿通部４Ｘを挿入方向Ｚ１に向けて好適に移動させることができる。この場合、上述のように、ラック歯１５がラチェット歯を構成しており、該ラチェット歯が係止爪２７を乗り越えながら移動するので、自由端側４ｃは、挿入方向Ｚ１には自由に移動するが、反対方向の抜き取り方向Ｚ２には移動を阻止される。従って、ループ５が所望の大きさに縮径されるまで長尺体４を挿入方向Ｚ１に移動させるだけで、商品に対する盗難防止装置１の取付作業が完了する。例えば、バッグの提手に取付ける場合は、該バッグの大きさに比してループ５が所望の大きさとなるように長尺体４を挿入方向Ｚ１に移動させれば、その位置で長尺体４が抜き取り方向Ｚ２に移動を阻止された噛合状態とされる。また、例えば、ループ５を商品の外周面に締結する場合は、長尺体４を挿入方向Ｚ１に移動させ、ループ５により商品を締め付ければ、その位置でループ５がゆるまないように噛合状態とされる。
【００４６】
ロック体３２をロック位置Ｐ２に移動させた状態で、施錠手段４１を構成する施錠アーム４３の係止孔４５が施錠爪４２に係止し、ロック体３２を進退移動不能に固定している。この状態で、上述のように挿通路６には係止爪２７とロック部３５による狭隘部が形成されるので、長尺体４を抜き取り方向Ｚ２に移動させないようにラック歯１５と係止爪２７が噛合する。
【００４７】
ロック体３２がロック位置Ｐ２で施錠された状態において、施錠手段４１は、施錠アーム４３の係止孔４５を超えて先端４７に向けて突出する掛け止め部５０を施錠爪４２に設けている。挿通路６を挿通する長尺体４の挿通部４Ｘの背面１４がロック部３５を弾発することにより、施錠アーム４３の先端４７が掛け止め部５０に係止されている。従って、不正者が解錠路３８に永久磁石を挿入しても、施錠アーム４３が解錠方向Ｍ２に揺動することはない。同様に、解錠路３８に針金等を挿入することにより施錠アーム４３を引き上げようとしても、施錠アーム４３が解錠方向Ｍ２に揺動することはない。
【００４８】
正当な顧客が商品を購入するときは、レジカウンター等において、店員が解錠キー２を使用することにより盗難防止装置１を取り外した後、商品を顧客に引き渡される。
【００４９】
図７（Ａ）に示すように、ロック体３２がロック位置Ｐ２で施錠された状態において、長尺体４のラック歯１５と係止爪２７の間にはクリアランスＳ１が形成されている。このクリアランスＳ１は、ラチェット歯を構成するラック歯１５が係止爪２７を乗り越えることにより挿入方向Ｚ１に移動可能であるが、抜き取り方向Ｚ２に移動不能に噛合する寸法に形成されている。また、ケーシング３とロック体３２の相互に設けられた長孔３９と突起４０は、ロック体３２が更に前進Ｆすることを許すクリアランスＳ２を形成している。前記係止孔４５を超える掛け止め部５０の突出量Ｓ３に対して、前記クリアランスＳ１、Ｓ２は、Ｓ２≧Ｓ１≧Ｓ３となるように形成されている。
【００５０】
解錠キー２のロッド部５２を解錠路３８に挿入し、該ロッド部５２の先端を受部５３に当接すると、該ロッド部５２の永久磁石が施錠アーム４３の磁性片４６を磁着するので、施錠アーム４３は解錠方向Ｍ２に揺動しようとする。しかしながら、この状態では、掛け止め部５０により施錠アーム４３の揺動が阻止されている。
【００５１】
そこで、図７（Ｂ）に示すように、ロッド部５２を強く押し込むことにより、前記クリアランスＳ１、Ｓ２を介してロック体３２が解錠可能位置Ｐ１まで前進Ｆさせると、掛け止め部５０の係止が解かれるので、施錠アーム４３が解錠方向Ｍ２に揺動し、施錠手段４１の施錠を解錠し、ロック体３２を後退方向Ｒに向けて移動可能となるように解放する。
【００５２】
解錠キー２を後退方向Ｒに移動させると、前記磁性片４６がロッド部５２の永久磁石に磁着されているので、ロック体３２がロッド部５２に追従して移動し、図８に示すように、ロック体３２をアンロック位置Ｐ３まで移動させる。この状態で、前記長孔３９と突起４０が相互に係止することによりロック体３２の移動を阻止するストッパーとして機能するので、ロッド部５２を解錠路３８から引き抜くことができる。このように、解錠キー２を引き抜いた後も、ロック体３２は、ケーシング３の摺動路３１の内部に残置され、ケーシング３から分離することはない。従って、再び盗難防止装置１を別の商品に取付けて使用する場合、ロック体３２をアンロック位置Ｐ３からロック位置Ｐ２まで移動させるだけで足りる。
【００５３】
ロック体３２をアンロック位置Ｐ３に移動させた状態で、ロック部３５が挿通路６から退避する。長尺体４は、背面１４をガイド手段２９に弾接する方向に復元力Ｘを作用しているので、挿通部４Ｘが挿通路６の内部で突部２２に向けて移動することにより、ラック歯１５を係止爪２７から離反させる。これにより、長尺体４は、挿通路６から簡単に抜き取ることができ、商品から盗難防止装置１を取り外した後、商品を顧客に引き渡すことができる。
【符号の説明】
【００５４】
１  盗難防止装置
２  解錠キー
３  ケーシング
４  長尺体
４ａ  基端部
４ｂ  先端部
４ｃ  自由端側
５  ループ
６  挿通路
６ａ  挿入口
６ｂ  挿出口
７  係止手段
８  ヒンジ手段
９  ハウジング
１０  防犯タグ
１１  蓋
１２  分割体
１３  腹面
１４  背面
１５  ラック歯
１６  リブ壁
１７  底壁
１８  側壁
１９  頂壁
２０  一方の開口端
２１  切欠開口
２２  突部
２３  下向きリブ
２４  溝
２５  凹部
２６ａ、２６ｂ  吊下手段
２７  係止爪
２８  突起
２９  ガイド手段
３０  縦壁
３１  摺動路
３２  ロック体
３３  側壁
３４  梁部
３５  ロック部
３６  横板部
３７  鍵孔部
３８  解錠路
３９  長孔
４０  突起
４１  施錠手段
４２  施錠爪
４３  施錠アーム
４４  弾性アーム部
４５  係止孔
４６  磁性片
４７  先端
４８  ガイド面
４９  爪部
５０  掛け止め部
５１  ホルダ
５２  ロッド部
５３  受部
【図１】
2011094366.tif 000003
【図２】
2011094366.tif 000004
【図３】
2011094366.tif 000005
【図４】
2011094366.tif 000006
【図５】
2011094366.tif 000007
【図６】
2011094366.tif 000008
【図７】
2011094366.tif 000009
【図８】
2011094366.tif 000010